(57)【要約】本発明は、供給システム（２００、５００、６００）のメータ（２０４、３０４）であって、供給チャネル（２１０、３１０）を通って流れる供給媒体の少なくとも１つの数量パラメータを計測するように構成された少なくとも１つの計測モジュール（２０９、３０９．１、３０９．２）を備え、メータ（２０４、３０４）が、ピアツーピア・ネットワーク（２２２、５２２、６２２）のピアツーピア・アプリケーション（２２４、４２４）と通信するように構成された少なくとも１つのピアツーピア・モジュール（２２０、３２０）を備え、計測モジュール（２０９、３０９．１、３０９．２）が、計測モジュール（２０９、３０９．１、３０９．２）とピアツーピア・モジュール（２２０、３２０）との間に配置された通信接続（２０７、３０７）を介して、供給媒体の計測された数量パラメータをピアツーピア・モジュール（２２０、３２０）に提供するように構成され、ピアツーピア・モジュール（２２０、３２０）が、少なくとも計測された数量パラメータをピアツーピア・アプリケーション（２２４、４２４）に提供するように構成されている、メータ（２０４、３０４）に関する。【選択図】図２
2019501612.tif 000002
【特許請求の範囲】
【請求項１】
供給システム（２００、５００、６００）のメータ（２０４、３０４）であって、
供給チャネル（２１０、３１０）を通って流れる供給媒体の少なくとも１つの数量パラメータを計測するように構成された少なくとも１つの計測モジュール（２０９、３０９．１、３０９．２）を備え、
前記メータ（２０４、３０４）は、ピアツーピア・ネットワーク（２２２、５２２、６２２）のピアツーピア・アプリケーション（２２４、４２４）と通信するように構成された少なくとも１つのピアツーピア・モジュール（２２０、３２０）を備え、
前記計測モジュール（２０９、３０９．１、３０９．２）は、前記計測モジュール（２０９、３０９．１、３０９．２）と前記ピアツーピア・モジュール（２２０、３２０）との間に配置された通信接続（２０７、３０７）を介して、前記供給媒体の計測された数量パラメータを前記ピアツーピア・モジュール（２２０、３２０）に提供するように構成され、
前記ピアツーピア・モジュール（２２０、３２０）は、少なくとも前記計測された数量パラメータを前記ピアツーピア・アプリケーション（２２４、４２４）に提供するように構成されている、
ことを特徴とする、メータ（２０４、３０４）。
【請求項２】
前記メータ（２０４、３０４）が、筐体（２０５）を備え、
前記計測モジュール（２０９、３０９．１、３０９．２）および前記ピアツーピア・モジュール（２２０、３２０）の少なくとも一部が、前記筐体（２０５）に含まれている、
ことを特徴とする、請求項１に記載のメータ（２０４、３０４）。
【請求項３】
前記少なくとも１つの計測モジュール（２０９、３０９．１、３０９．２）が、電気計測モジュール、流体計測モジュール、または熱計測モジュールの群から選択されることを特徴とする、請求項１または２に記載のメータ（２０４、３０４）。
【請求項４】
前記計測モジュール（２０９、３０９．１、３０９．２）と前記ピアツーピア・モジュール（２２０、３２０）との間の前記通信接続（２０７、３０７）が、有線通信接続（２０７、３０７）であるか、および／または
前記計測モジュール（２０９、３０９．１、３０９．２）と前記ピアツーピア・モジュール（２２０、３２０）との間の前記通信接続（２０７、３０７）が、前記計測モジュール（２０９、３０９．１、３０９．２）から前記ピアツーピア・モジュール（２２０、３２０）への一方向通信接続（２０７、３０７）である、
ことを特徴とする、請求項１〜３の何れか一項に記載のメータ（２０４、３０４）。
【請求項５】
前記メータ（２０４、３０４）が、第１のエンティティ（３０６、５０６、６０６．１）と関連付けられ、
前記ピアツーピア・モジュール（２２０、３２０）が、前記ピアツーピア・アプリケーション（２２４、４２４）による、前記第１のエンティティ（３０６、５０６、６０６．１）と別のエンティティ（５０８、５６４、５６６、５６８、５７０、５７２、６０８．２、６６４．１、６６６．１、６６８．２、６７０．２、６７２．２）との間の供給媒体の交換に関する供給媒体取引契約の生成をもたらすように構成されている、
ことを特徴とする、請求項１〜４の何れか一項に記載のメータ（２０４、３０４）。
【請求項６】
前記ピアツーピア・ネットワーク（２２２、５２２、６２２）が、複数のコンピュータノード（２２６．１、２２６．２、２２６．３）によって形成され、
前記ピアツーピア・モジュール（２２０、３２０）が、前記複数のコンピュータノード（２２６．１、２２６．２、２２６．３）と通信するようにのみ構成されている、
ことを特徴とする、請求項１〜５の何れか一項に記載のメータ（２０４、３０４）。
【請求項７】
前記ピアツーピア・ネットワーク（２２２、５２２、６２２）が、複数のコンピュータノード（２２６．１、２２６．２、２２６．３）によって形成され、
前記ピアツーピア・モジュール（２２０、３２０）が、前記複数のコンピュータノードのうちの１つである、
ことを特徴とする、請求項１〜５の何れか一項に記載のメータ（２０４、３０４）。
【請求項８】
前記ピアツーピア・モジュール（２２０、３２０）が、前記ピアツーピア・モジュール（２２０、３２０）に関連付けられたエンティティ（３０６、５０６、５０８、５６４、５６６、５６８、５７０、５７２、６０６．１、６０８．２、６６４．１、６６６．１、６６８．２、６７０．２、６７２．２）のために作成された供給媒体計画に基づいて、少なくとも１つの要求メッセージおよび／または少なくとも１つの受諾メッセージを生成するように構成されていることを特徴とする、請求項１〜７の何れか一項に記載のメータ（２０４、３０４）。
【請求項９】
要求メッセージが、供給媒体の数量パラメータ、時間、および／もしくは少なくとも１つの取引基準を含むか、ならびに／または
受諾メッセージが、供給媒体の数量パラメータ、時間、および／もしくは少なくとも１つの取引基準を含む、
ことを特徴とする、請求項８に記載のメータ（２０４、３０４）。
【請求項１０】
前記ピアツーピア・モジュール（２２０、３２０）が、前記供給媒体取引契約で指定された取引基準と前記計測された数量パラメータとに基づいて、取引基準の取引の生成をもたらすように構成されていることを特徴とする、請求項５〜７の何れか一項に記載のメータ（２０４、３０４）。
【請求項１１】
前記ピアツーピア・モジュール（２２０、３２０）が、有線接続（３１５）または無線接続を介して、少なくとも１つの別のメータ（３０５．１、３０５．２）と通信するようにさらに構成されていることを特徴とする、請求項１〜１０の何れか一項に記載のメータ（２０４、３０４）。
【請求項１２】
供給システム（２００、５００、６００）であって、
請求項１〜１１の何れか一項に記載の少なくとも１つのメータ（２０４、３０４）と、
少なくとも１つの供給媒体を移動させるように構成された少なくとも１つの供給チャネル（２１０、３１０）と、
ピアツーピア・アプリケーション（２２４、４２４）を提供するように構成された少なくとも１つのピアツーピア・ネットワーク（２２２、５２２、６２２）と、
を備える、供給システム（２００、５００、６００）。
【請求項１３】
前記ピアツーピア・アプリケーション（２２４、４２４）が、分散型レジスタ（２２４、４２４）であり、
前記分散型レジスタ（２２４、４２４）が、少なくとも前記ピアツーピア・ネットワーク（２２２、５２２、６２２）の参加者の一部によって読み取り可能であることを特徴とする、請求項１２に記載の供給システム（２００、５００、６００）。
【請求項１４】
前記ピアツーピア・アプリケーション（２２４、４２４）が、暗号化手段ならびに／または署名手段および／もしくは検証手段を含み、前記暗号化手段ならびに／または前記署名手段および／もしくは前記検証手段のうちの少なくとも１つが、少なくとも提供された数量パラメータを格納するように構成されていることを特徴とする、請求項１２または１３に記載の供給システム（２００、５００、６００）。
【請求項１５】
前記ピアツーピア・アプリケーション（２２４、４２４）が、互いに連結された少なくとも２つのブロック（４４６、４４８、４５０）を含むブロックチェーン（２２４、４２４）または分散型台帳（２２４、４２４）であることを特徴とする、請求項１２〜１４の何れか一項に記載の供給システム（２００、５００、６００）。
【請求項１６】
前記供給システム（２００、５００、６００）が、有線接続（３１５）または無線接続を介して、前記ピアツーピア・モジュール（２２０、３２０）と通信するように構成された少なくとも１つの通信モジュール（３１３．１、３１３．２）を有する別のメータ（３０５．１、３０５．２）を備えることを特徴とする、請求項１２〜１５の何れか一項に記載の供給システム（２００、５００、６００）。
【請求項１７】
供給システム（２００、５００、６００）のメータ（２０４、３０４）、具体的には、請求項１〜１１の何れか一項に記載のメータ（２０４、３０４）を動作させるための方法であって、前記メータ（２０４、３０４）が、少なくとも１つの計測モジュール（２０９、３０９．１、３０９．２）および少なくとも１つのピアツーピア・モジュール（２２０、３２０）を備え、前記方法が、
前記計測モジュール（２０９、３０９．１、３０９．２）によって供給媒体の少なくとも１つの数量パラメータを計測するステップと、
前記計測モジュール（２０９、３０９．１、３０９．２）と前記ピアツーピア・モジュール（２２０、３２０）との間に配置された通信接続（２０７、３０７）を介して、前記計測モジュール（２０９、３０９．１、３０９．２）から前記ピアツーピア・モジュール（２２０、３２０）へ前記少なくとも１つの数量パラメータを伝達するステップと、
前記ピアツーピア・モジュール（２２０、３２０）によって、少なくとも前記計測された数量パラメータをピアツーピア・ネットワーク（２２２、５２２、６２２）のピアツーピア・アプリケーション（２２４、４２４）に提供するステップと、
を含む、方法。
【発明の詳細な説明】
【技術分野】
【０００１】
本発明は、供給チャネルを通って流れる供給媒体の少なくとも１つの数量パラメータを計測するように構成された少なくとも１つの計測モジュールを備える供給システムのメータに関する。さらに、本発明は、メータを備える供給システムおよびメータを動作させるための方法に関する。
【背景技術】
【０００２】
従来技術によれば、エンティティは、供給システムを使用して供給媒体で供給され得る。供給システムの例は、電気供給システム、ガス供給システム、水供給システム、および地域熱供給システムである。
【０００３】
本発明の供給システムは、物理的な、具体的には、グリッド結合型（grid-bound）供給チャネルネットワークを備える。供給媒体は、供給チャネルネットワークを介して移動される。例えば、供給媒体は、電流もしくは電力、真水、廃水、もしくは給水用水などの水、天然ガスもしくは同様のガスなどのガス状媒体、暖気などの熱、または冷気などの冷媒である。
【０００４】
物理的な供給チャネルネットワークは、少なくとも１つのグリッド結合型供給チャネルを備えることができる。例として、少なくとも１つのグリッド結合型供給チャネルは、エネルギーケーブル、好ましくは、複数のエネルギーケーブルなどの電気接続、またはパイプライン、好ましくは、複数のパイプラインなどの流体接続であり得る。
【０００５】
供給チャネルネットワークは、少なくとも部分的に公共供給チャネルネットワークおよび／または少なくとも部分的にスタンドアロングリッドなどの私設供給チャネルネットワークであり得る。
【０００６】
さらに、少なくとも２つのエンティティを（同じ）供給チャネルネットワークに接続することができる。エンティティは、少なくとも１つの消費体を備えることができる。少なくとも１つの消費体は、供給チャネルネットワークを介して、生成体によって供給媒体を供給され得る。消費された供給媒体の量をエンティティによって検出するために、エンティティは、通常、メータを備える。メータは、エンティティによって取得された供給媒体の数量パラメータを決定するように構成することができる。例えば、エンティティによって取得された供給媒体の流量を計測することができる。具体的には、エンティティは、物理的な供給チャネルネットワークに接続可能なハウス接続などの供給チャネルを備える。ハウス接続は、物理的な供給チャネルネットワークからの供給媒体の受容および／または物理的な供給チャネルネットワークへの供給媒体の供給を可能にする。メータは、ハウス接続を通過する単位時間当たりの流体の体積などの流量を計測することができる。電気メータの場合、メータは、ハウス接続からの電気パラメータを計測することによって、エンティティによって消費または供給された電力の量を計測することができる。
【０００７】
先行技術の供給システム全体に共通することは、中央システム、中央処理、および／または中央組織が提供されることである。かかるシステムは、供給媒体の取得および販売を制御するように構成されている。これらの処理を正確に制御するために、各メータを読み出し、数量パラメータを中央システムに伝達することができる。例えば、先行技術のメータは、手動で読み取り可能なメータまたは遠隔メータであり得る。メータによって計測された供給媒体の受容された数量パラメータに基づいて、中央システムは、供給媒体の取得および販売を制御する。
【０００８】
図に示される電気供給ネットワークまたはグリッドの一例に基づいて、典型的な従来技術の供給システム１００を説明する。図１は、従来技術による供給システム１００の一実施形態を示す。示される供給システム１００は、少なくとも１つの物理的な供給チャネルネットワーク１０２を備える。例えば、接地線および／または高架線などの１つ以上の送電線を提供することができる。加えて、（図示されない）変圧器などを物理的な供給チャネルネットワーク１０２に含めることができる。
【０００９】
電気接続線１１０などのそれぞれの供給チャネルによって、第１のエンティティ１０６および別のエンティティ１０８は、物理的な供給チャネルネットワーク１０２に接続される。例えば、エンティティ１０６およびエンティティ１０８は建物である。第１のエンティティ１０６は、電気消費体１１２、および電気生成体１１４、例えば、光起電デバイス１１４を備える。かかるエンティティ１０６は、生成消費体（生成体および消費体）として示すことができる。
【００１０】
供給チャネル１１０を通って流れる供給媒体の数量パラメータ、具体的には、供給チャネルネットワーク１０２から受信された電力量および供給チャネルネットワーク１０２へ供給された電力量は、電気メータ１０４によって（連続的に）計測される。電気メータ１０４は、例えば、追加のクライアントデバイスおよび通信リンク１１８を介して、計測された数量パラメータを中央サーバ１１６に伝達することができる。
【００１１】
別のエンティティ１０８は、電気消費体１１２のみを備える。かかるエンティティ１０８は、消費体として示すことができる。また、エンティティ１０８は、エンティティ１０８によって消費された電力を、具体的には、供給チャネル１１０を通って流れる供給媒体量を計測することによって計測するためのメータ１０４を備える。電気メータ１０４または別のクライアントデバイスは、例えば、通信接続１１８を介して、計測された数量パラメータを中央サーバ１１６に伝達することができる。
【００１２】
エンティティ１０６、１０８は、通常、複数の消費体１１２を備えることができることを理解されたい。
【００１３】
中央サーバ１１６は、供給システム１００を管理するように構成されている。例えば、各エンティティ１０６、１０８は、中央サーバ１１６を介した供給媒体オペレータとの少なくとも１つの取引基準を含む概略的な供給媒体取引契約を生成することができる。
【００１４】
この場合、第１のエンティティ１０６は、電力を別のエンティティ１０８に供給し、それぞれのメータ１０４は、例えば、中央サーバ１１６による要求時にまたは手動のメータ読み取り処理を介して、電力の流れを計測し、それぞれの供給媒体の数量パラメータを中央サーバ１１６に伝達する。次いで、中央サーバ１１６は、受信された計量データを検証し、それに従って、中央サーバと、エンティティ１０６、１０８のそれぞれのクライアントとの間の正しい決済を保証する。換言すると、従来技術によれば、サーバ１１６と同様に、中央インスタンス１１６が２つのエンティティ１０６、１０８間の供給媒体量の交換を監視、管理、検証、および課金するために提供されることが常に必要である。
【００１５】
高い取引コストに加えて、かかるクライアント−サーバ構造、具体的には、サーバ（またはプラットフォーム）の欠点は、中央権限または中央サーバが顧客データを管理しなければならないことである。中央型システムのなかなか解決しない問題は、権限を与えられていない第三者のアクセスに対する、１つ以上のサーバに格納された顧客データの保護である。具体的には、例えば、顧客データ、課金データ、予測データなどの改ざんを防止するためには、相当な安全関連の努力が必要である。これは同様に高い取引コストをもたらす。
【発明の概要】
【発明が解決しようとする課題】
【００１６】
したがって、本発明の目的は、エンティティ間の供給媒体の交換を改善し、高いセキュリティを提供する供給システムのメータを提供することである。
【課題を解決するための手段】
【００１７】
この目的は、請求項１に記載の供給システムのメータによって本発明の第１の態様に従って解決される。供給システムのメータは、供給チャネルを通って流れる供給媒体の少なくとも１つの数量パラメータを計測するように構成された少なくとも１つの計測モジュールを備える。メータは、ピアツーピア・ネットワークのピアツーピア・アプリケーションと通信するように構成された少なくとも１つのピアツーピア・モジュールを備える。計測モジュールは、計測モジュールとピアツーピア・モジュールとの間に配置された通信接続を介して、供給媒体の計測された数量パラメータをピアツーピア・モジュールに提供するように構成されている。ピアツーピア・モジュールは、少なくとも計測された数量パラメータをピアツーピア・アプリケーションに提供するように構成されている。
【００１８】
従来技術とは対照的に、２つのエンティティ間の供給媒体の改善された安全な交換を、中央サーバまたは中央プラットフォームをピアツーピア・ネットワーク（すなわち、フレームワーク）に置き換えることによって、中央インスタンスなしで簡単な様式で本発明によるメータによって保証することができる。計測された供給媒体のパラメータの改ざん防止生成検証は、ピアツーピア・アプリケーションによって保証することができる。ピアツーピア・ネットワークでは、高い安全基準が、計量データの正確性を監視する、好ましくは、ネットワークのすべてのコンピュータ（ピアノード）、ピアコンピュータネットワークの少なくとも１つのサブセットによって達成される。取引コストを大幅に低減することができる。中央の包括的なプラットフォーム、サーバ、クラウドなどは必要ない。計測モジュールおよびピアツーピア・モジュールがメータに含まれるため、安全性がさらに改善される。具体的には、計測モジュールとピアツーピア・モジュールとの間の通信接続を攻撃または改ざんすることによる、計測された数量パラメータの改ざんリスクを、メータ外部の通信接続の回避により、少なくとも低減することができる。本発明のさらなる利点は、メータおよびピアツーピア・モジュールが１つのデバイスエンティティ内に提供、設置、および事前構成されるという事実により、設置コストが低減されることである。
【００１９】
メータは、メータによって監視される供給チャネルを通過する供給媒体の量を計測するための供給システム内で使用される。本発明による供給システムは、少なくとも１つの供給媒体を供給チャネルネットワークと接続可能な少なくとも２つのエンティティ間で伝達するための供給チャネルネットワークを特徴とする。例示的かつ非網羅的な供給システムは、電気供給ネットワーク、ガス供給ネットワーク、水供給ネットワーク、および地域熱供給ネットワークである。
【００２０】
供給システムのタイプに応じて、好適な物理的な、具体的には、グリッド結合された供給チャネルを介して移動される供給媒体は、電流もしくは電力、真水、廃水、もしくは灌漑用水などの水、天然ガスもしくは同様の（可燃性）ガスなどのガス状流体、例えば熱気の形態で伝達または交換される熱、および／または例えば冷気の形態で伝達または交換される冷媒であり得る。
【００２１】
供給チャネルネットワークは、少なくとも部分的に公共供給チャネルネットワークおよび／または少なくとも部分的に私設供給チャネルネットワークであり得る。例えば、ネットワークは、供給システムのエンティティまたは仮想マイクログリッドのため（だけ）の別個のマイクログリッドである。好ましくは、公共ネットワークが存在することがある。
【００２２】
具体的には、供給システムは、少なくとも、それぞれの好適な供給チャネルおよび物理的な供給チャネルネットワークを介して互いに少なくとも接続可能な第１のエンティティおよび別のエンティティを備えることができる。エンティティの供給チャネルは、物理的な供給チャネルネットワークに対応し、例えば、送電線または流体パイプであり得る。本発明によるメータは、供給媒体の供給の流れを監視するように構成することができる。例えば、メータの少なくとも計測モジュールは、供給チャネルに接続可能であり得る。
【００２３】
供給システムは、３つ以上のエンティティを含むことができることを理解されたい。
【００２４】
本出願によれば、供給システムは、具体的には、少なくとも１つのエンティティが供給媒体を生成し、好ましくは、生成された供給媒体を物理的な供給チャネルネットワークのラインの中に供給することができ、少なくとも別のエンティティが物理的な供給チャネルネットワークのラインから供給媒体を受容／除去し、好ましくは、供給媒体を消費することができる供給システムである。エンティティは、生成消費体または消費体であり得ることを理解されたい。かかる供給ネットワークでは、供給量および除去量が（常に）互いに補償されることが望ましい。具体的には、供給チャネルシステムは、以下では、限定された容量を有することを特徴とする。
【００２５】
エンティティは、物理的な供給チャネルグリッドを介して、供給媒体を少なくとも１つの他のエンティティと交換するように構成することができる。エンティティの交換された供給媒体は、本メータによって計測することができる。概して、供給システムは、物理的な供給チャネルネットワークに接続することができる限り、異なるタイプのエンティティを含むことができる。エンティティは、例えば、建物、アパートなどの建物の一部、単一の（インテリジェント）デバイスもしくは機械、または会社などであってもよい。これらのエンティティの各々は、本発明によるメータを備えることができる。
【００２６】
本（スマート）メータは、計測モジュールとピアツーピア・モジュールとを備えることを特徴とする。上記で説明されるように、計測モジュールは、好適な計測手段（供給媒体に応じる）によって、供給チャネルを通って流れる供給媒体の量を計測するように構成されている。計測された数量パラメータまたは数量パラメータの値は、（単一の）通信接続を介して、メータのピアツーピア・モジュールに転送される。ピアツーピア・モジュールは、ミニコンピュータ、マイクロコントローラなどであってもよい。
【００２７】
ピアツーピア・モジュールは、コンピュータ−コンピュータネットワークとも称されるピアツーピア・ネットワークと通信するように構成されている。サーバがサービスを提供し、クライアントがサービスを使用するクライアント−サーバネットワークと比較すると、これらの役割はピアツーピア・ネットワークでは取り消される。ピアツーピア・ネットワークの各参加者は、サービスなどを使用し、かかるサービスを提供することができる。具体的には、ピアツーピア・ネットワークは、自己決定型および／または自己組織型（上位ユニット含まず）である。本事例では、好ましくは、ピアツーピア・ネットワークの各コンピュータは、ピアツーピア・アプリケーションを備える。具体的には、ピアツーピア・モジュールは、メッセージをピアツーピア・アプリケーションに送信するか、および／またはピアツーピア・アプリケーション内に格納されたデータを読み取るように構成されている。
【００２８】
ピアツーピア・ネットワークは、計測された供給媒体の数量パラメータを格納するように少なくとも構成されている。これによって、ピアツーピア・モジュールは、それぞれのデータをピアツーピア・アプリケーションに、例えば、少なくとも１つの数量パラメータを含むメッセージを伝達することによって、提供するように構成されている。ピアツーピア・アプリケーションは、ピアツーピア・アプリケーションまたはピアツーピア・アプリケーションのデータ内容が、ピアツーピア・ネットワークから、好ましくは、そのすべての参加者によってアクセス可能であることを特徴とする。２つ以上の、具体的には、異なるピアツーピア・アプリケーションを提供することができることを理解されたい。
【００２９】
計測された供給媒体の数量パラメータは、具体的には、（時間単位当たりの供給媒体の計測された量に加えて）ピアツーピア・ネットワークの少なくとも一部、好ましくは、すべての参加者にとっては既知のピアツーピア・モジュールのアドレスのような固有ＩＤおよび／またはハッシュコードなどのメータまたはメータのピアツーピア・モジュールの情報、計測された供給媒体の数量パラメータに関連する供給媒体取引契約のＩＤなどを含むことができる。適切なチェックならびに／またはデジタル署名および／もしくはハッシュ関数などの妥当性確認アルゴリズムによって、計測された供給媒体の数量パラメータの正確性および／または不変性を、特に、ピアツーピア・ネットワークのコンピュータの累積処理能力によって保証することができる。
【００３０】
メータは、（内部）タイマを備えることができることに留意されたい。タイマは、時間情報の妥当性確認のために、時間情報を、ピアツーピア・モジュールを介してピアツーピア・アプリケーションに提供することができる。例えば、時間情報をピアツーピア・アプリケーションによって提供された基準時間と比較することができる。それによって、時間情報、具体的には、各時間情報をチェックするか、および／または、ピアツーピア・ネットワークによって、好ましくは各メータの好ましくは各タイマを較正することが可能である。中央型システムは必要ない。
【００３１】
本発明のメータの第１の実施形態によれば、メータは、筐体を備え、計測モジュールおよびピアツーピア・モジュールの少なくとも一部は、筐体に含まれる。好ましくは、計測モジュールおよびピアツーピア・モジュールは、筐体内に完全に一体化される。筐体は、具体的には、筐体内に一体化された構成要素の手動改ざんを防止するように構成された改ざん防止筐体である。例として、メータは、監視される供給チャネルが筐体を通って延在するように構成することができる。例えば、筐体は、それぞれの供給チャネル接続部を接続するための入口接続部および出口接続部を備えてもよい。メータの筐体を通して供給チャネルを導くことにより、計測ユニットを筐体内に完全に一体化することができ、それに従って、改ざんリスクをさらに低減することができる。
【００３２】
別の実施形態では、メータの筐体は、少なくとも１つのピアツーピア・モジュールを受容するように構成された少なくとも１つのモジュールスロットを備えることができる。例えば、メータにピアツーピア・モジュールを提供するために、それぞれのモジュールをメータのモジュールスロットの中に挿入することができる。計測モジュールと挿入されたピアツーピア・モジュールとの間の通信を保証し得る認証機構を提供することができる。
【００３３】
さらに、メータは、モバイルメータおよび／または非モバイルメータであってもよいことに留意されたい。
【００３４】
概して、メータの計測モジュールは、監視および計測される供給媒体の流れに依存する。本メータの一実施形態によれば、少なくとも１つの計測モジュールは、電気計測モジュール、流体計測モジュール、または熱計測モジュールの群から選択することができる。電気計測モジュールは、時間単位当たりの電流および／または電力を計測するように構成することができる。流体計測モジュールは、時間単位当たりの供給チャネルを通過するガスまたは液体などの流体の体積を計測するように構成することができる。最後に、熱または冷媒計測モジュールは、消費／供給された熱／冷媒を計測するように構成することができる。
【００３５】
好ましい一実施形態によれば、計測モジュールとピアツーピア・モジュールとの間の通信セキュリティをさらに改善するために、計測モジュールとピアツーピア・モジュールとの間の通信接続は有線通信接続である。通信の盗聴および改ざんをより困難にすることができる。さらに、計測モジュールとピアツーピア・モジュールとの間の通信接続は、計測モジュールからピアツーピア・モジュールへの一方向通信接続であり得る。これは、ピアツーピア・モジュールのインターフェース、ならびに計測モジュールとピアツーピア・モジュールとの間の接続を介して、計測モジュールの改ざんリスクを低減する。
【００３６】
さらに、メータを、好ましくは、第１のエンティティと関連付けることができる。例えば、エンティティは、第１のエンティティの、供給チャネルネットワークとのエンティティ接続などの供給チャネルに設置することができる。ピアツーピア・モジュールは、ピアツーピア・アプリケーションによる、具体的には、物理的な供給チャネルネットワークを介する第１のエンティティと別のエンティティとの間の供給媒体の交換に関する供給媒体取引契約の生成をもたらすように構成することができる。別のエンティティもまた、本発明によるメータを備えることができる。エンティティに関連付けられたメータのピアツーピア・モジュールは、例えば、供給媒体取引契約を生成するための命令を含むメッセージをピアツーピア・ネットワークへ送信することによって、関連付けられたエンティティと別のエンティティとの間の供給媒体取引契約の生成をもたらすように適合させることができる。具体的には、メッセージの送信者および／またはメッセージの真正性を検証するための好適なコード、および、必要であれば、少なくとも１つのキーを、ピアツーピア・アプリケーションに伝達するか、またはメータのピアツーピア・モジュールからピアツーピア・アプリケーションに書き込むことができる。好ましくは、他のエンティティからの、例えば、他のエンティティに関連付けられた別のメータのピアツーピア・モジュールからの受諾メッセージの送信者を検証するための好適な命令、および、任意選択で、少なくとも１つのキーを含む受諾メッセージで、およびピアツーピア・ネットワークによる再調査の後、対応する供給媒体取引契約を生成することができる。単純に言えば、何れのピアツーピア・モジュールも、ピアツーピア・ネットワークまたはピアツーピア・アプリケーションを使用して供給媒体量の交換のための１つ以上の好適なパートナを選択することができる。さらに、ピアツーピア・モジュールは、ピアツーピア・アプリケーションによって供給媒体取引契約の生成をもたらすことができる。供給媒体取引契約は、具体的には、少なくとも２つの参加エンティティまたはそれぞれのピアツーピア・モジュールに関する情報、例えば、固有ＩＤおよび／もしくはハッシュコード、合意された未来の期間中に交換される供給媒体の合意された量、ならびに／または少なくとも１つの取引基準を含むことができる。本明細書において前述されるように、供給媒体の合意された量の交換後、好ましくは、関係する各エンティティのメータは、合意された期間の供給媒体のそれぞれ計測された量をピアツーピア・アプリケーションに伝達することができる。
【００３７】
別の一実施形態では、ピアツーピア・ネットワークは、複数のコンピュータノードによって形成され、ピアツーピア・モジュールは、複数のコンピュータノードと通信するようにのみ構成されている。換言すると、ピアツーピア・モジュールは、ピアツーピア・ネットワークのコンピュータノードではない。かかるピアツーピア・モジュールは、ピアツーピア・アプリケーションを備えないが、アプリケーションプログラミングインターフェース（ＡＰＩ）などのインターフェースモジュール、およびピアツーピア・ネットワークまたはピアツーピア・アプリケーションのコンピュータノードとの通信のための、ブロックチェーンなどの分散型アプリケーションを単に提供する。これにより、ピアツーピア・モジュールの必要とされる処理能力を低減することが可能になる。
【００３８】
代替的な一実施形態では、ピアツーピア・ネットワークは、複数のコンピュータノードによって形成され、ピアツーピア・モジュールは、コンピュータノードのうちの１つである。この場合、ピアツーピア・モジュールは、ピアツーピア・アプリケーションの少なくとも一部を備える。例えば、ピアツーピア・モジュールは、いわゆるライトノードであってもよい。具体的には、ピアツーピア・モジュールは、好ましくは、ピアツーピア・アプリケーションの総データ内容を備えることができる。
【００３９】
加えて、本メータの一実施形態によれば、ピアツーピア・モジュールは、ピアツーピア・モジュールに関連付けられたエンティティのために作成された供給媒体計画に基づいて、少なくとも１つの要求メッセージおよび／または少なくとも１つの受諾メッセージを生成するように構成することができる。現供給媒体計画は、供給媒体の需要および／または提供の観点から、個々の、具体的には、各エンティティについての、未来の少なくとも一期間についての予測を含むことを特徴とする。エンティティは、任意の好適な手段を含み得るか、またはこれに接続して供給媒体計画を作成し得る。例えば、供給媒体計画の作成は、供給媒体の最近の需要／提供に関する履歴データ、気象データなどの（外部の）予測データ、ならびに／またはカレンダ情報、人の居場所（住民が家にかえるとき、および／もしくは会社が処理を始めるときを予測することを含む）、バッテリなどの電気ストレージのレベルデータなどのユーザの好みなどに基づく場合がある。実際には、外部データフィードについては２つの選択肢があり得、データフィードを、ブロックチェーン／分散型台帳などのピアツーピア・アプリケーションで確立および合意することができ、データフィードを、ブロックチェーン／分散型台帳などのピアツーピア・アプリケーションに接続されたゲートウェイを介して到達させることができるか、または外部データフィードを、ブロックチェーン／分散型台帳などのピアツーピア・アプリケーションに直接接続することができる。特定のエンティティの（最適化された）供給媒体計画の準備は、ピアツーピア・モジュールまたはピアツーピア・モジュールと通信するように構成された別のローカルモジュールによって遂行することができる。
【００４０】
例えば、ガス供給システムでは、供給媒体計画は、エンティティによるガスの消費履歴に基づいて作成することができる。加えて、例えば、気温データなどの気象予測が考慮される。同様に、供給媒体計画を他の供給システムで作成することができる。供給媒体計画に基づいて、ピアツーピア・モジュールは、要求メッセージをピアツーピア・ネットワーク、具体的には、上記で説明されるピアツーピア・アプリケーションに伝達することができる。好ましくは、各エンティティおよびその関連付けられたピアツーピア・モジュールは、伝達情報を読み取ることができる。一実施形態では、ピアツーピア・モジュールは、（特有の）供給媒体計画および別のエンティティの要求メッセージに基づいて、受諾メッセージを生成し、具体的には、このメッセージを上記のピアツーピア・アプリケーションなどのピアツーピア・ネットワークに伝達することができる。簡単な様式で、特定の好適な供給媒体取引契約をピアツーピア・ネットワークおよびピアツーピア・アプリケーションによって準備することができる。
【００４１】
好ましい一実施形態では、要求メッセージは、供給媒体量、時間、および／または少なくとも１つの取引基準を含むことができる。好ましくは、要求メッセージは、少なくとも前述のデータを含むことができる。さらに、固有識別子、例えば、ピアツーピア・ネットワークの各参加者にとっては既知の固有アドレスなどの送信者の識別子、タイムスタンプ、追加の取引基準などを要求メッセージに含めることができる。代替的にまたは付加的に、受諾メッセージが供給媒体量、時間、および／または少なくとも１つの取引基準を含むことを条件とすることができる。好ましくは、受諾メッセージは、少なくとも前述のデータ、および、具体的には、別のエンティティの要求メッセージへの参照を含む。さらに、ピアツーピア・ネットワークの各参加者にとっては既知の固有アドレスなどの送信者の識別子、タイムスタンプ、追加の取引基準などを受諾メッセージに含めることができる。
【００４２】
本発明によるメータの別の一実施形態によれば、ピアツーピア・モジュールは、供給媒体取引契約で指定された取引基準と計測された数量パラメータとに基づいて、取引基準の取引の生成をもたらすように構成することができる。好ましくは、供給／受容された供給媒体量の計測された数量パラメータの肯定的な前述の再調査に応じて、ピアツーピア・モジュールを、取引基準の取引の生成をもたらすように配置することができる。例えば、一定量の暗号通貨を取引基準として確立することができる。ピアツーピア・ネットワークによる、具体的には、ピアツーピア・アプリケーションによる供給媒体取引契約に従って供給が実行された場合、指定された量を取引基準の取引内で移動させることができる。上記で説明されるのと同様に、この取引でも、ピアツーピア・モジュールの固有キーを検証用に使用することができる。上記で説明されるように、ピアツーピア・モジュールまたは関連付けられたエンティティによるキー、および、具体的には、実際の所持量は、ピアツーピア・ネットワークによって検証することができる。中央権限のないピアツーピア・ネットワークによる安全な支払いを提供することができる。取引コストをさらに低減することができる。
【００４３】
さらに、別の実施形態によれば、ピアツーピア・モジュールは、有線接続または無線接続を介して、少なくとも１つの別のメータと通信するようにさらに構成することができる。該別のメータは、別の計測モジュールおよび通信モジュールを備えることができる。該別のメータはまた、二次メータと称されることがあり、ピアツーピア・モジュールを備えるメータはまた、一次メータと称されることがある。二次メータの別の計測モジュールは、一次メータによって計測された供給媒体の流れの副流を計測するように、または一次メータとは別の供給媒体の流れを計測するように構成することができる。例として、一次メータは、電気メータであり得、二次メータは、ガスメータ、水のメータ、または特定の消費体の電力消費を計測するメータもしくは特定の生成体によって提供された電力を計測するメータであり得る。
【００４４】
好ましくは、二次メータは、安全な有線接続などの安全な接続を介して接続することができる。これにより、安全な様式で、計量データを二次メータから一次メータへ伝達することができる。次いで、ピアツーピア・モジュールは、上記で説明されるように、二次メータの少なくとも計量データをピアツーピア・アプリケーションに提供することができる。したがって、ピアツーピア・モジュールを、例えば、エンティティのあらゆるメータ内に一体化する必要はないが、１つの（一次）メータ内のみでは必要である。換言すると、（ピアツーピア・モジュールを備えていない）少なくとも１つの二次メータは、一次メータを介して、ピアツーピア・ネットワークまたは別のピアツーピア・ネットワークに接続することができる。
【００４５】
本発明の別の一態様は、少なくとも１つの前述のメータ、少なくとも１つの供給媒体を移動させるように構成された少なくとも１つの供給チャネル、およびピアツーピア・アプリケーションを提供するように構成された少なくとも１つのピアツーピア・ネットワークを備える供給システムである。供給システムは、好ましくは、少なくとも２つのエンティティを備える。各エンティティは、少なくとも１つのメータを備えることができる。さらに、供給システムは、上記で説明されるように、供給媒体がエンティティ間で交換され得るように構成されている。
【００４６】
供給システムの好ましい一実施形態によれば、ピアツーピア・アプリケーションは、分散型レジスタである。分散型レジスタは、少なくともピアツーピア・ネットワークの参加者の一部によって読み取り可能であり得る。具体的には、メータのピアツーピア・モジュールを含むあらゆるコンピュータノードは、ピアツーピア・アプリケーションを備えることができる。分散型レジスタは、少なくともピアツーピア・ネットワークの各参加者によって読み取られてもよい。具体的には、すべてのピアツーピア・モジュールおよびピアツーピア・ネットワークの他のすべてのコンピュータは、好ましくは、レジスタとして形成されたピアツーピア・アプリケーション内のすべての情報を読み取ることができる。また、すべてのピアツーピア・モジュールおよびピアツーピア・ネットワークの他のすべてのコンピュータが、ピアツーピア・アプリケーションに対して、メッセージを送信するか、またはメッセージを書き込むことができることが好ましい。簡単な方法で、情報を、好ましくは、すべての参加者に対して利用可能にすることができる。これにより、分散型レジスタ（decentral register）内に格納された情報の再調査を実行させる。特に好ましくは、ピアツーピア・ネットワーク内の各コンピュータは、新しい情報を、具体的には、ピアツーピア・アプリケーションに格納された古い情報に基づいて再調査するように構成されている。
【００４７】
さらに、好ましくは、各コンピュータは、各事例において、完全なデータ内容を備えるが、ピアツーピア・アプリケーションの、具体的には、分散型レジスタのデータ内容の少なくとも一部を含むことができる。例えば、ピアツーピア・アプリケーション内の書き込まれた情報の肯定的な検証の後、この情報がすべてのコンピュータ、少なくともコンピュータの一部によって保存されることを条件とすることができる。これにより、ピアツーピア・アプリケーションに格納されたデータの改ざん耐性をさらに改善することができる。
【００４８】
改ざん防止の方法で新しい情報を格納するために、ピアツーピア・アプリケーションは、暗号化手段ならびに／または署名手段および／もしくは検証手段を含むことができ、暗号化手段ならびに／または署名手段および／もしくは検証手段のうちの少なくとも１つは、少なくとも提供された数量パラメータを格納するように構成されている。前述の手段のうちの少なくとも１つの手段は、少なくとも提供されたあらゆる数量パラメータを格納するように適合させることができる。具体的には、ハッシュ関数によって、リンクが、分散型レジスタ内の少なくとも１つの以前に格納された情報と確立されることを条件とすることができる。要求メッセージ、エンティティの通常のデータ、コンテキストデータ、および／または取引データなどのさらなるデータを格納することができる。
【００４９】
システムの特に好ましい一実施形態では、ピアツーピア・アプリケーションは、少なくとも２つの相互接続されたブロックを備えるブロックチェーンであり得る。ブロックチェーン技術または「分散型台帳技術」は、ビットコインなどの暗号通貨による支払いで既に使用されている。ブロックチェーンの特定の構造によって、計測された供給媒体量の少なくとも正確性を、中央サーバを必要とせずに、チェックすることができることが認識されている。加えて、ブロックチェーンを使用して、改ざん防止の様式で、２つのエンティティ間で供給媒体取引契約を生成することができる。本実施形態によるブロックチェーンは、特に、すべての計測された供給媒体のパラメータ、ならびに、好ましくは、すべての供給媒体取引契約およびピアツーピア・モジュールによって送信された他のメッセージを記録し得る分散型のピアツーピア・ベースのレジスタである。ブロックチェーンは、簡単かつ安全な様式で、中央エンティティを置き換えるための技術的手段として特に適している。
【００５０】
さらに、供給システムの好ましい一実施形態では、供給システムは、有線接続または無線接続を介して、ピアツーピア・モジュールと通信するように構成された少なくとも１つの通信モジュールを有する別のメータを備えることができる。本明細書において前述されるように、該別のメータは、（ピアツーピア・モジュールを備えていない）二次メータであり得、ピアツーピア・モジュールを備えるメータは、一次メータであり得る。
【００５１】
本発明の別の一態様は、供給システムのメータ、具体的には、前述のメータを動作させるための方法である。本方法は、
−  計測モジュールによって供給媒体の少なくとも１つの数量パラメータを計測するステップと、
−  計測モジュールとピアツーピア・モジュールとの間に配置された通信接続を介して、計測モジュールからピアツーピア・モジュールへ少なくとも１つの数量パラメータを伝達するステップと、
−  ピアツーピア・モジュールによって、少なくとも計測された数量パラメータをピアツーピア・ネットワークのピアツーピア・アプリケーションに提供するステップと、
を含む。
【００５２】
本方法は、プロセッサに上記で説明されるメータを動作させるための命令を含むコンピュータプログラムであり得る。
【００５３】
加えて、一実施形態によれば、メータのステータス情報を、ピアツーピア・モジュールによって、ピアツーピア・ネットワークのピアツーピア・アプリケーションに提供することができる。メータのステータス情報を使用して、例えば、偽データの予測自動修正を改善するか、および／または改ざんを識別するために、計量データの品質ならびに／または利用可能性および／もしくは正確性を評価することができる。
【００５４】
本事例では、一実施形態によれば、ピアツーピア・モジュールが、ブロックチェーンなどのピアツーピア・アプリケーションと通信するように構成された少なくとも１つのＡＰＩを備えることに留意されたい。ＡＰＩに加えて、ピアツーピア・モジュールは、ＡＰＩを介して、計測された数量パラメータをピアツーピア・アプリケーションに作成して伝達するように少なくとも構成されたローカルアルゴリズムを含むソフトウェアの分散型アプリケーションを備える。分散型アプリケーションは、計量データを処理および伝達するように少なくとも構成されている。
【００５５】
好ましくは、データは、暗号的に保護されたトンネルを介して、ブロックチェーンなどのピアツーピア・アプリケーションを実行しているピアツーピア・ノードに伝達することができる。別の具体的な実施形態では、ピアツーピア・アプリケーション自体もまた、ピアツーピア・モジュールで実装される。すなわち、ピアツーピア・モジュールは、分散型アプリケーション、ＡＰＩ、およびブロックチェーンまたは分散型台帳などのピアツーピア・アプリケーションを備えるピアツーピア・ネットワークのノードである。
【００５６】
本特許出願のこれらおよび他の態様は、以下の図面を参照することにより明らかになり、以下の図面を参照して説明される。本出願およびその上記で提示される例示的な実施形態の特徴は、すべての可能な互いの組み合わせでも開示されるものと理解される。
【図面の簡単な説明】
【００５７】
【図１】従来技術による供給システムの一実施形態の概略図である。
【図２】本発明によるメータの一実施形態の概略図である。
【図３】本発明によるメータの実施形態を備えるエンティティの一実施形態の概略図である。
【図４】本発明によるピアツーピア・アプリケーションの一実施形態の概略図である。
【図５】本発明による供給システムの一実施形態の概略図である。
【図６】本発明による供給システムの別の一実施形態の概略図である。
【図７】本発明による方法の一実施形態の図である。
【図８】本発明による方法の別の一実施形態の図である。
【図９】本発明による方法の別の一実施形態の図である。
【図１０】本発明による方法の別の一実施形態の図である。
【図１１】本発明による方法の別の一実施形態の図である。
【発明を実施するための形態】
【００５８】
異なる図における同様の参照番号は、同様の要素を示す。
【００５９】
図２は、本発明によるメータ２０４の一実施形態の概略図を示す。示されるメータ２０４は、本発明のシステム２００の一実施形態内に一体化されている。メータ２０４は、筐体２０５を備える。筐体２０５は、安全な筐体２０５であり得る。安全なまたは改ざん防止筐体２０５は、少なくとも、メータ２０４の（手動）改ざんを防止する筐体２０５である。
【００６０】
筐体２０５内には、２つのモジュール２０９および２２０が一体化されている。換言すると、筐体２０５は、モジュール２０９および２２０を囲繞する。具体的には、第１のモジュール２０９は、供給チャネル２１０を通って流れる供給媒体の数量パラメータを計測するために配置された計測モジュール２０９である。供給チャネル２１０、好ましくは、ハウス接続２１０は、電流、天然ガス、水などの供給媒体を移動させるように構成されている。例えば、供給チャネル２１０は、パイプ２１０またはエネルギーケーブル２１０である。
【００６１】
計測モジュール２０９は、少なくとも１つの数量パラメータを計測するための手段を備える。例えば、電気計測モジュール２０９は、電気ケーブル２１０を通って流れる電流および／または電力を計測するための手段を備えることができる。電気計測モジュール２０９は、瞬時電圧（ボルト）および電流（アンペア）を（連続的に）計測して、使用または供給されるエネルギーを与えることができる。
【００６２】
さらに、水の計測モジュール２０９またはガス計測モジュール２０９などの流体計測モジュール２０９は、体積流量、すなわち、単位時間当たりのパイプ２１０を通過する流体（例えば、ガスまたは水）の体積を計測するように構成することができる。熱計測ユニット２０９は、水の量、例えば、体積流量、ならびに流れ温度および戻り流れ温度を計測するように構成することができる。計測された温度および水の量の差に基づいて、供給または受容されたエネルギー量を熱計測モジュール２０９によって決定することができる。また、これらの計測モジュール２０９は、好ましくは、連続的な方法で、それぞれの数量パラメータを計測することができる。
【００６３】
計測モジュール２０９は、ピアツーピア・モジュール２２０への、有線接続２０７などの通信接続２０７を有する。好ましくは、通信接続２０７は、計測モジュール２０９からピアツーピア・モジュール２２０への一方向接続２０７である。計測モジュール２０９は、計測されたデータ、および、例えば、メータのステータス情報をピアツーピア・モジュール２２０に伝達する。例えば、データを所定の時点でまたは連続的な様式で伝達することができる。
【００６４】
図１の実施形態と図２の実施形態との間のさらなる相違点は、システム２００が中央サーバを備えていないことである。本システムは、ピアツーピア・ネットワーク２２２、具体的には、コンピュータ−コンピュータネットワークを備える。ピアツーピア・モジュール２２０は、ピアツーピア・ネットワーク２２２に対するインターフェースを備える。
【００６５】
ピアツーピア・ネットワーク２２２は、複数のノード２２６．１〜２２６．３およびコンピュータ２２６．１〜２２６．３をそれぞれ含む。ピアツーピア・ネットワーク２２２は、本明細書において、好ましくは、各ノードおよび／または参加者が他のあらゆるノードおよび／または参加者に接続されているという事実によって特徴付けられる。加えて、コンピュータは、それらをサーバ−クライアント構造と区別する同等の権限を有する。換言すると、ピアは同等に特権を与えられている。それによって、クラスタのピアに同等に特権を与えることができる。
【００６６】
図示される３つのノード２２６．１〜２２６．３、例えば、コンピュータ２２６．１〜２２６．３は、（それぞれにおいて）ピアツーピア・アプリケーション２２４を備える。図２から読み取ることができるように、各ノード２２６．１〜２２６．３には、同じピアツーピア・アプリケーション２２４が実装されている。好ましくは、ピアツーピア・アプリケーション２２４は、ピアツーピア・ネットワーク２２２の（ノードだけでなく）すべての参加者によって特に読み取り可能なパブリックレジスタであってもよい。各ノード２２６．１〜２２６．３は、好ましくは、（完全な）パブリックレジスタ２２４、または許可されたレジスタ、および／もしくはプライベートレジスタ２２４を含む。また、１つのノードにおいて、レジスタの一部のみが提供されることを条件とすることができる。特に好ましい一実施形態では、ピアツーピア・アプリケーション２２４は、ブロックチェーン２２４であってもよい。
【００６７】
さらに、ピアツーピア・モジュール２２０は、ピアツーピア・ネットワーク２２２と通信するように適合されている。換言すると、ピアツーピア・モジュール２２０は、少なくとも、ピアツーピア・ネットワーク２２２の参加者である。ピアツーピア・ネットワーク２２２の各参加者は、好ましくは、ピアツーピア・ネットワーク２２２のすべての参加者（例えば、それぞれのアドレス）を知ることができる。
【００６８】
本事例では、ピアツーピア・モジュール２２０は、ピアツーピア・ネットワーク２２２と通信するようにのみ構成されている。換言すると、ピアツーピア・モジュール２２０は、（ノードではなく）単にピアツーピア・ネットワーク２２２の参加者である。ピアツーピア・モジュール２２０は、計測された数量パラメータをピアツーピア・アプリケーション２２４に提供するように構成されている。これにより、ピアツーピア・ネットワーク２２２は、２つのエンティティ間で以前に生成された供給媒体取引契約が満たされたか否かをチェックすることができる。この目的のために、ピアツーピア・モジュール２２０は、ピアツーピア・アプリケーション２２４と通信して、供給媒体取引契約の生成をもたらすことができる。続いて、生成された契約に従って、電流もしくは電力、真水もしくは廃水などの水、天然ガスもしくは同様の（可燃性）ガスなどのガス状媒体、例えば熱気の形態の熱、および／または例えば冷気の形態の冷媒などの供給媒体が伝達される。供給媒体の実際に交換された量は、メータ２０４によって計測され、メータ２０４によってピアツーピア・アプリケーション２２４に通信される。計測モジュール２０９およびピアツーピア・モジュール２２０が改ざん防止の様式でメータ２０４内に一体化されるため、数量パラメータの改ざんを少なくとも低減することができる。さらに、計測された数量パラメータは、好ましくは、全体のピアツーピア・ネットワークによってチェックされる。
【００６９】
本発明によるピアツーピア・アプリケーションの一実施形態ならびにメータおよび供給システムの一実施形態の動作は、本明細書において以下でより詳細に説明される。
【００７０】
よりよい説明のために、以下の実施形態は、電力グリッドの形態の供給システムに関する。しかしながら、本発明はこれらに限定されるものではない。具体的には、以下の説明は、ガス供給ネットワーク、水供給ネットワーク、または地域熱供給ネットワークなどの他の供給システムまたはネットワークに転換することができる。
【００７１】
図３は、本発明によるエンティティ３０６の一実施形態の概略図を示し、エンティティ３０６は、本発明によるメータ３０４の一実施形態を備える。
【００７２】
エンティティ３０６は、建物３０６または家３０６であってもよい。エンティティ３０６は、供給チャネル３１０の形態の端末３１０を介して、供給チャネルネットワーク３０２に接続されている。供給チャネルネットワーク３０２は、送電線、変圧器などを備える電力グリッドであってもよい。
【００７３】
さらに、本実施形態では、エンティティ３０６の内部電気ネットワーク３３２は、接続３１０を介して、公共または私設の電力グリッド３０２と接続される。
【００７４】
例示的に、２つの電気消費体３１２．１、３１２．２は、内部電気ネットワーク３３２に接続されている。例示的かつ非網羅的な電気消費体３１２．１、３１２．２は、冷蔵庫、照明機器、テレビ、コンピュータ、洗濯機、厨房機器などである。エンティティ３０６は３つ以上の電気消費体を備えることができることを理解されたい。
【００７５】
電気負荷３１２．１、３１２．２に加えて、本事例では、エンティティ３０６は、光起電デバイス３１４の形態の発電機３１４を備える。代替的にまたは付加的に、マイクロＣＨＰ（熱電併給）、（小さい）風力タービンなどの他の発電機を提供することができることを理解されたい。発電機３１４によって供給された電力は、負荷３１２．１、３１２．２によって消費され得るか、バッテリ３３０などの電気エネルギーストレージデバイス３３０内に格納され得るか、および／または電力グリッド３０２に供給され得る。
【００７６】
さらに読み取ることができるように、メータ３０４は、電気回路３３２に接続されている。メータは、好ましくは、ハウス接続３１０に配置することができる。メータ３０４は、２つの計測モジュール３０９．１、３０９．２を備え、計測モジュール３０９．１、３０９．２の各々は、グリッド３０２から受容された電力量およびグリッド３０２に供給された電力量を計測するように構成することができる。
【００７７】
２つの計測モジュール３０９．１、３０９．２の利点は、具体的には、エンティティ３０６が、ネットワークオペレータの中央サーバなどの中央権限との（基本的な）供給媒体取引契約と、ピアツーピア・モジュールおよびピアツーピア・ネットワークによる他のエンティティとの個々の供給媒体取引契約とを生成することができることである。それぞれの電力の流れまたは電流の流れを特定の供給媒体取引契約に独自に割り当てることができるように、第１の計測モジュール３０９．１は、例えば、総量を計測することができ、少なくとも１つの別の計測モジュール３０９．２は、個々の供給媒体取引契約がなされた期間中に流れた電力の量を計測することができる。次いで、動作を計算することによって、供給または受容され、計測された電力の量の明確な割り当てを、異なる供給媒体取引契約に割り当てることができる。
【００７８】
別のメータを、例えば、特定の消費体の消費または特定の発電機によって生成された電力を個々に決定するために提供することができることを理解されたい。
【００７９】
メータ３０６はまた、ピアツーピア・モジュール３２０を含む。ピアツーピア・モジュール３２０は、例えば、コンピュータなどのコンピューティングデバイスの少なくとも一部であってもよい。具体的には、ピアツーピア・モジュール３２０は、ソフトウェアモジュールによって少なくとも部分的に形成され得るか、および／またはハードウェアモジュールによって少なくとも部分的に形成され得る。
【００８０】
ピアツーピア・モジュール３２０は、具体的には、（双方向性）通信リンク３３６を介してピアツーピア・ネットワークと通信するための通信インターフェースを有する。さらに、処理ユニットを備えるピアツーピア・モジュール３２０は、互換性のあるピアツーピア・アプリケーションメッセージを生成するように少なくとも構成されている。さらに、ピアツーピア・モジュール３２０は、少なくとも１つの別のデータ入力を有する。具体的には、ピアツーピア・モジュール３２０は、それぞれの計測モジュール３０９．１、３０９．２への通信接続３０７を有する。さらに、データを、通信ネットワーク３３５を介して受信することができ、このデータは、気象データソースなどの外部データソースによって提供することができる。ピアツーピア・モジュール３２０は、他のデバイスに対する別のインターフェースを有することができる。具体的には、スクリーンおよび／または入力手段などのユーザインターフェースをメータ３０４に提供することができる。加えて、（図示されない）ホームオートメーションコントローラを提供することができる。ホームオートメーションコントローラは、ピアツーピア・アプリケーションと通信するように構成することができる。ホームオートメーションコントローラは、好ましくは、ピアツーピア・アプリケーションを介して受信された、メータ３０４の少なくとも計量データを視覚化するように構成された表示デバイスなどの他のデバイスに対する別のインターフェースを備えることができる。ピアツーピア・モジュール３２０の動作のより詳細な説明が続いて行われる。
【００８１】
有利な一実施形態では、気象予測および／または市場データなどのデータを、ピアツーピア・アプリケーションのいわゆるフィードによって、各ピアに対して利用可能にすることができることにも留意されたい。例えば、ピアツーピア・ネットワークの参加者は、１つ以上の気象情報プロバイダについて合意したかもしれない。この場合、少なくとも１つの気象データソースは、気象予測データをピアツーピア・アプリケーションに伝達することができる。気象ソースは、ピアツーピア・ネットワークのピアの少なくとも一部によって検証されたかもしれない。好ましくは、各参加者について、同じ気象情報がピアツーピア・アプリケーションによって利用可能である。
【００８２】
任意選択で、エンティティ３０６は、少なくとも１つの別のメータ３０５．１、３０．５．２を備えることができる。本実施形態では、２つの別のメータ３０５．１、３０５．２が提供されている。他の変形例では、３つ以上の別のメータが存在してもよいし、または１つの別のメータのみが存在してもよいことを理解されたい。
【００８３】
該別のメータ３０５．１、３０５．２はまた、二次メータ３０５．１、３０５．２と示すことができ、メータ３０４は、一次メータ３０４として示すことができる。読み取ることができるように、二次メータ３０５．１、３０５．２は各々、安全な有線接続３１５によって一次メータ３０４に接続されている。具体的には、各二次メータ３０５．１、３０５．２は、接続３１５を介して、ピアツーピア・モジュール３２０に接続可能な通信モジュール３１３．１、３１３．２を備えることができる。さらに、各二次メータ３０５．１、３０５．２は、少なくとも１つの計測モジュール３１１．１、３１１．２を備えることができる。計測モジュール３１１．１、３１１．２の各々は、安全な接続３１７．１、３１７．２を介して、それぞれの通信モジュール３１３．１、３１３．２に接続可能である。
【００８４】
例として、第１の二次メータ３０５．１は、ガスメータであり得る。計測されたガスの値（例えば、消費されたガス量）を、（メータ３０４の計量データを処理するためのピアツーピア・ネットワークとは別のまたは同じピアツーピア・ネットワークであってもよい）それぞれのピアツーピア・ネットワークのそれぞれのピアツーピア・アプリケーションに提供するために、別の計量データは、一次メータ３０４のピアツーピア・モジュール３２０を介して、それぞれのピアツーピア・アプリケーションに通信モジュールによって伝達される。ピアツーピア・モジュール３２０は、それぞれのデータを、ＡＰＩを介してそれぞれのピアツーピア・アプリケーションに提供するように構成された追加の分散型アプリケーションを備えることができる。第２の二次メータ３０５．２は、水のメータ３０５．２であり得る。二次メータ３０５．２の機能は、既に説明された第１の二次メータ３０５．１の機能と同様である。
【００８５】
さらに、図４は、本発明によるピアツーピア・アプリケーション４２４の一実施形態の概略図を示す。ピアツーピア・アプリケーション４２４は、具体的には、ピアツーピア・ネットワーク４２４の参加者によって読み取り可能なレジスタである。それによって、メッセージを、メータ、エンティティ、および／またはピアツーピア・ネットワーク内の任意の他の参加者のピアツーピア・モジュールによって、レジスタに書き込むことができるか、および／または該レジスタに読み取られるか、もしくは該レジスタから読み取ることができる。好ましい一実施形態では、ピアツーピア・アプリケーション４２４は、ブロックチェーン４２４であってもよい。
【００８６】
本明細書において以下では、本実施形態の以下の説明において、ピアツーピア・アプリケーション４２４はブロックチェーン４２４であると仮定する。しかしながら、以下の見解を他のピアツーピア・アプリケーションに容易に転換することができる。
【００８７】
ブロックチェーン４２４は、少なくとも１つのブロック４４６〜４５０、好ましくは、複数の相互接続されたブロック４４６〜４５０によって形成される。第１のブロック４４６をジェネシスブロック４４６と称することもできる。読み取ることができるように、ブロック４４８、４５０（第１のブロック除く）は、各々先行するブロック４４６、４４８を参照する。新しいブロックは、計算集約型処理（例えば、いわゆる「マイニング」または別の適切な処理）によって作成することができ、特に、ピアツーピア・ネットワークのすべての参加者に提供される。
【００８８】
本ブロックチェーン４２４は、特に、メータのピアツーピア・モジュールまたはピアツーピア・ネットワークの別の参加者の別のピアツーピア・デバイスからのメッセージを受信し、このメッセージをブロックチェーン４２４内に保存するように適合されている。具体的には、ブロックチェーン４２４の現ブロック４５０内の新しいメッセージを保存および公開することができる。パブリックレジスタ４２４としてのブロックチェーン４２４の構造により、メータのピアツーピア・モジュールのメッセージは、好ましくは、ピアツーピア・ネットワークのすべての参加者によって読み取ることができる。
【００８９】
本ブロックチェーン４２４では、例えば、スマートコントラクト（アルゴリズムおよび／またはブロックチェーンにおけるストレージ）内の異なるタイプのメッセージを処理および／または格納することができる。好ましくは、メッセージ４５２は、エンティティによって消費または供給され、エンティティのメータによって計測された時間単位当たりの電力などの供給媒体の量を含む。
【００９０】
別のメッセージ４５４は、要求メッセージ４５４であり得る。要求メッセージ４５４は、以下のデータを含み得ることを特徴とする。
数量の仕様：エンティティによって所望されるか、または利用可能にされる供給媒体の量
時間の表示：所望の供給量が所望されるか、または提供される未来の期間
取引基準：指定された量および期間に関する供給媒体取引契約を完了するように別のエンティティによって満たさなければならない基準
【００９１】
他の取引基準が定義され得ることを理解されたい。より多くの情報とは、例えば、タイムスタンプ、メッセージの送信者の署名、取引のメッセージＩＤ、および所望の生産または消費のタイプ、エンティティまでの距離、メータのステータス情報などの他の基準であり得る。
【００９２】
別のメッセージ４５６は、受諾メッセージ４５６であってもよい。受諾メッセージ４５６は、要求メッセージ４５４と比較して同一または少なくとも同様のデータの詳細を含むことができる。付加的に、受諾メッセージ４５６は、要求メッセージ４５４のＩＤなどの前の要求に対する参照指示を含むことができる。それは、例えば、取引基準にしたがって、供給媒体のある特定の所望の量を未来の期間にわたって供給することができるという要求メッセージ４５４との関連で受諾メッセージ４５６内に列挙することができる量は、要求された数量の細分量であってもよい。指定時間もまた、一部の時間であっても、または細分時間であってもよい。また、より低い／より高い取引基準を与えることができる。
【００９３】
受諾メッセージ４５６が、要求された数量の細分数量、一部の時間の表示、および／またはより低い、より高い、もしくは他の取引基準のみを含む場合、受諾メッセージ４５６は、カウンタオファー・メッセージと称することができる。これは、受諾メッセージを通じて第１のエンティティによって受諾することができる。これに基づいて、エンティティ、例えば、ピアツーピア・モジュールは、供給媒体取引契約の生成をもたらすことができる。
【００９４】
具体的には、複数の要求メッセージおよび／もしくは受諾メッセージならびに／または特定の期間の供給媒体の供給／消費された数量パラメータを含むメッセージが存在し得る。メータの各エンティティは、ガイドラインであって、それらに従って少なくとも１つの供給媒体取引契約を生成することができる、ガイドラインを与えることができる。反復処理などの好ましくは自動化された処理では、各要求メッセージを最適に対応する受諾メッセージに関連付けることができる。ブロックチェーン４２４もまた、ピアツーピア・モジュールのメッセージに基づいて、供給媒体取引契約４５８を生成するように構成することができる。
【００９５】
供給媒体取引契約４５８は、ブロック４５０内のスマートコントラクト４５８内に格納することができる。スマートコントラクト４５８は、コンピュータプログラムコードを含むことができる。供給媒体取引契約４５８では、具体的には、ある特定の期間にわたる供給媒体のある特定の量ならびに／または所与の価格としての取引基準の交換または供給もしくは受容は、メータを備える第１のエンティティとメータを備える別のエンティティとの間で合意され得る。例えば、第１のエンティティは、第１のエンティティが電源を介して期間Ｔｘにわたるある特定の量Ｘの電力（ＸｋＷ／Ｔｘｈ）を他のエンティティに供給するという契約をブロックチェーン４２４によって他のエンティティに生成させることができる。対応する供給媒体取引契約を他の供給システム内に生成することができる。
【００９６】
時間Ｔｘの間に、関係するエンティティのメータは、電力の流れを計測し、期間Ｔｘの実際に交換された電力の量Ｘを、メッセージ４５４、例えば、ＸｋＷ／Ｔｘｈ（および取引ＩＤ、エンティティＩＤなどの追加データ）を保存するブロックチェーン４５２に伝達する。好ましくは、関係するエンティティの各々は、それぞれのデータをそれらの関連付けられたメータを介してブロックチェーンに伝達する。次いで、ブロックチェーン４２４内に格納された計量データを、ピアツーピア・ネットワーク、具体的には、ピアツーピア・ネットワークの参加者によってチェックおよび検証することができる。
【００９７】
計量データの肯定的な検証の後、合意された取引基準の取引４６０を生成し、ブロックチェーン４２４によって遂行することができる。例えば、合意された量の暗号通貨を移動させることができる。また、これを、ピアツーピア・ネットワーク、具体的には、ピアツーピア・ネットワークの参加者によって検証することができる。
【００９８】
具体的には、ピアツーピア・アプリケーション４２４は、改ざん防止の様式で、メッセージ４５２〜４６０を保存するように構成されている。これは、ピアツーピア・ネットワーク全体を通じて、例えば、供給媒体取引契約をピアツーピア・ネットワーク全体の累積計算力によって検証することができるという事実によって本質的に行われる。
【００９９】
好ましくは、供給媒体取引契約および計量データメッセージなどの少なくとも上記のメッセージは、マークル木によって、ブロックチェーンのブロック内に対で一緒にハッシュすることができる。具体的には、最後のハッシュ値、いわゆるルートハッシュのみがブロックのヘッダ内のチェックサムとして示される。次いで、ブロックを先行するブロックと連結させることができる。ブロックの連結は、このルートハッシュを使用して遂行することができる。各ブロックは、先行するブロックのヘッダ全体のハッシュをそのヘッダ内に含めることができる。これにより、ブロックの順序を明確に定義することが可能になる。加えて、これはまた、具体的には、すべての後続のブロックのハッシュが短時間で再計算されなければならないことになるため、先行するブロックおよび先行するブロック内に格納されたメッセージのその後の修正を防止することができる。
【０１００】
図５では、供給システム５００、具体的には、電気供給システム５００の別の実施形態の概略図が示される。図示される供給システム５００は、７つのエンティティ５０６、５０８、５６４〜５７２を備える。すべてのエンティティ５０６、５０８、５６４〜５７２が、供給チャネルネットワーク５０２、具体的には、電力グリッド５０２に接続されるか、または少なくとも接続可能である。本例では、各エンティティ５０６、５０８、５６４〜５７２は、本明細書において前述されるように、メータを備えることができる。
【０１０１】
さらに読み取ることができるように、エンティティ５０６、５０８、５６４〜５７２およびそれらのメータのそれぞれの（図示されない）ピアツーピア・モジュールは、（図示されない）ピアツーピア・アプリケーション、例えば、図４によるブロックチェーン４２４を備えるピアツーピア・ネットワーク５２２を形成する。
【０１０２】
第１のエンティティ５０６は、複数の電気消費体を備える家５０６であってもよい。したがって、第１のエンティティ５０６を電気消費体５０６と称することができる。したがって、第１のエンティティ５０６は、供給媒体の必要性を有し、適切な要求メッセージおよび／または受諾メッセージを生成し、これらのメッセージをピアツーピア・ネットワーク５２２に伝達することができる。加えて、エンティティ５０６は、上記で説明されるようにメータを備える。
【０１０３】
別のエンティティ５０８もまた、家５０８、具体的には、生成消費体５０８であってもよい。生成消費体５０８として、別のエンティティ５０８は、電力を電力グリッド５０２に供給することができ、また、電力を電力グリッド５０２から受信することができる。生成消費体５０８は、そのメータによって、適切な要求メッセージおよび／もしくは受諾メッセージならびに／または計量データを生成し、これらのメッセージをピアツーピア・ネットワーク５２２に送信することができる。
【０１０４】
別のエンティティ５６４は、コージェネレーションユニット５６４などの分散型生成体５６４であってもよい。換言すると、エンティティ５６４は、電力をグリッド５０２に供給するように適合されている。このエンティティ５６４はまた、メータを備えてもよく、メータは、適切なメッセージを生成することができ、同様に、以下のエンティティは、適切なメッセージを生成するための上記で説明されるメータを備えることができる。
【０１０５】
さらに、エンティティ５６６として、バッテリ５６６などの電気ストレージ５６６を提供することができる。ストレージ５６６は、具体的には、（電力グリッド５０２内の超過容量による）超過電力を一時的に格納し、この電力を電力が必要な場合に再び供給するように構成することができる。さらに、エンティティ５６８は、電動機械５６８、例えば、ＩｏＴデバイスなどの（スマート）電気消費体５６８であってもよい。エンティティ５７０は、例えば、種々の電気消費体および／または１つ以上の生成体を有する会社５７０であってもよい。最後に、エンティティ５７２として、以下でより詳細に説明されるバランシングエンティティ５７２が提供されている。
【０１０６】
図６は、供給システム６００、具体的には、電気供給システム６００の別の実施形態の概略図を示す。本明細書において以下では、図５の供給システム５００と比較した供給システム６００の相違点のみについて説明する。エンティティ６０６．１〜６７２．２として、上記で説明されるエンティティと比較して、同じエンティティ、同様のエンティティ、または他のエンティティが提供されてもよいことに留意されたい。
【０１０７】
前の例とは異なり、２つの異なるタイプのピアまたはノードコンピュータ６０６．１、６６４．１、６６６．１、または６０８．２、６６８．２、６７０．２、および６７２．２を以下に説明する。すべてのピア６０６．１〜６７２．２が、ピアツーピア・ネットワーク６２２に含まれる。しかしながら、本実施形態では、ピア６０４．１〜６７２．２の一部、本事例では、ピア６０４．１、６６４．１、６６６．１のみが、計量データまたは供給媒体取引契約などのピアツーピア・アプリケーションメッセージに格納されたデータの有効性をチェックする。
【０１０８】
さらに、ピア全体の一部のみがピアツーピア・アプリケーションを格納するように構成され得るか、および／またはピアの一部のみがスマートコントラクトのアルゴリズムを実行するように構成され得る。それは、例えば、計量データの妥当性確認／検証がかなりの計算量を必要とするため、ピア６０４．１、６６４．１、６６６．１の一部、特に具体的には、強力なピア６０４．１、６６４．１、６６６．１のみが妥当性確認を遂行する場合、効率の理由から有利な場合がある。妥当性確認は、オンチェーンまたはオフチェーンで行うことができる。オフチェーンにおける妥当性確認は、ブロックチェーン上のコードのようにピアツーピア・アプリケーションによって管理することができる。「強力な」とは、具体的には、高い計算能力を意味する。換言すると、本事例では、ブロックチェーンなどのピアツーピア・アプリケーション内の有効なエントリは、ピア６０４．１、６６４．１、６６６．１の一部（のみ）が肯定的な結果になった場合と仮定される。単一の、特に具体的には、強力なピアのみが妥当性確認処理を遂行することができることを理解されたい。
【０１０９】
同様に、代替的な（図示されない）一実施形態では、特に大きなピアツーピア・ネットワークを２つ以上のクラスタに分割することができる。対応するピアツーピア・ネットワークでは、例えば、妥当性確認は、１つのクラスタのメンバによってのみ実行されるであろう。
【０１１０】
図７は、本発明による方法の一実施形態を示す。第１のステップ７０１では、ハウス接続などの供給チャネルを通って流れる供給媒体の少なくとも１つの数量パラメータが、計測モジュールによって計測される。計測モジュールをメータ内に一体化することができる。好ましくは、数量パラメータを連続的に計測することができる。
【０１１１】
計測された供給媒体の数量パラメータは、ステップ７０２において、計測モジュールとピアツーピア・モジュールとの間に配置された通信接続を介して、計測モジュールからピアツーピア・モジュールへ伝達することができる。例えば、データ量を低減するために、計測モジュールは、１秒、１分、１５分、１時間、１日などの特定の時間単位の計測された供給媒体量を蓄積するように構成することができる。次いで、計測モジュールは、供給媒体の数量パラメータ（例えば、Ｘｋｗ／１５分）の形態で、特定の時間単位の累積供給媒体量をピアツーピア・モジュールに伝達することができる。
【０１１２】
そのため、ピアツーピア・モジュールならびに通信接続もメータ内に一体化されている。
【０１１３】
次のステップ７０３では、計測された数量パラメータが、ピアツーピア・モジュールによって、ピアツーピア・ネットワークのピアツーピア・アプリケーションに提供される。これは、本明細書において前述されるように、遂行することができる。
【０１１４】
以下の図において、本発明によるメータによって少なくとも部分的に遂行またはトリガされ得る追加の手順を説明する。
【０１１５】
図８は、具体的には、図４によるチェーンブロック４２４などのピアツーピア・アプリケーションによって遂行することができる方法のフロー図を示す。
【０１１６】
第１のステップ８０１では、ピアツーピア・アプリケーションは、供給媒体の交換を指すメッセージを受信する。例示的なメッセージは、計量データメッセージ、要求メッセージまたは受諾メッセージ、供給媒体取引契約メッセージ、取引基準の取引メッセージなどを含む。次いで、これらは、前述されるような妥当性について、ピアツーピア・ネットワークのピアの少なくとも一部によって再調査される。
【０１１７】
次のステップ８０２では、受信されたメッセージがピアツーピア・アプリケーションによって格納される。ピアツーピア・アプリケーションおよびピアツーピア・ネットワークの特別な構造により、各参加者は、具体的には、メッセージを読み取ることができる。具体的には、権限を与えられた各参加者のみがメッセージを読み取ることができる。次いで、ピアツーピア・ネットワークは、好ましくは、ピアツーピア・ネットワーク全体の累積計算力によって、メッセージのデータを検証することができる（ステップ８０３）。より多くのメッセージをブロックの中に書き込むことができる場合、処理はステップ８０１を続ける。もはやメッセージを現ブロックの中に書き込むことができない場合、処理はステップ８０４を続ける。ステップ８０４では、例えば、ハッシュ関数によって、先行するブロックに連結することができる新しいブロックを生成することができる。次いで、ステップ８０１に進むことができる。
【０１１８】
図９は、ピアツーピア・モジューを備えるメータによって遂行され得る方法の一実施形態の別のフロー図を示し、メータは、特定のエンティティに関連付けることができる。
【０１１９】
第１のステップ９０１では、メータに関連付けられたエンティティの供給媒体計画が未来の期間に対して提供される。例えば、適切な供給媒体計画は、メータのピアツーピア・モジュールによって作成することができるか、またはエンティティのホームオートメーションシステムのホームオートメーションコントローラなどの、エンティティの別のデバイスから受信することができる。
【０１２０】
供給媒体計画の作成は、履歴データ、ユーザ入力、および／または気象データ、市場データ、カレンダデータなどの個人情報などの予測データに基づくことができる。例えば、少なくとも１つのメータの計測モジュールは、計測された数量パラメータをピアツーピア・モジュールに伝達することができる。ピアツーピア・モジュールは、それ自体で供給媒体計画を作成するか、または計測された数量パラメータをホームオートメーションコントローラなどの別のデバイスに伝達するかの何れかをすることができる。エンティティは、複数のメータを備えてもよく、それぞれの数量パラメータは、メインメータまたはホームオートメーションコントローラなどの別のデバイスによって処理することができる。以下では、メータのピアツーピア・モジュールが計画を作成するものと仮定する。
【０１２１】
ピアツーピア・モジュールは、受信された数量パラメータをメモリユニット内に格納するように適合された処理手段を備える。数量パラメータは、具体的には、タイムスタンプを備えることができる。例えば、計測された消費および／または生産のパラメータは、日付および／または時間（期間）を備えることができる。これによって、エネルギー消費／生成の過程を作成することができる。次いで、この履歴を使用して、供給媒体計画を生成することができる。
【０１２２】
具体的には、この履歴データおよび好ましくは気象データなどの追加の予測データならびに／または長期不在などのユーザ情報から、次の週、次の日、次の１時間などの未来の期間に対する供給媒体計画が作成される。
【０１２３】
好ましくは、次の日の前日に供給媒体計画を作成することができ、供給媒体計画は、複数の細分領域（例えば、１５分間、すなわち、９６個の細分領域）に分割することができる。
【０１２４】
供給媒体計画に加えて、少なくとも１つの取引基準を各細分領域に対して特に指定することができる。例えば、細分領域ごとに２つ以上の取引基準を指定することができ、基準は、最大価格および最小価格などの最大基準および最小基準であり得る。かかる指定範囲は、柔軟性があり、同時に別のエンティティの要求メッセージに最適に応答することができるという利点を有する。自主基準に基づくエンティティの観点からの最善の提案は、具体的には、自動反復処理において決定および選択することができる。生成体の種類、エンティティに対するローカル近接性などのさらなる取引基準を指定することができる。
【０１２５】
上記のパラメータに応じて、要求メッセージは、好ましくは、メータのピアツーピア・モジュールによって各細分領域に対して生成され、ステップ９０２でピアツーピア・ネットワークに伝達される。代替的にまたは付加的に、ステップ９０３において、ピアツーピア・モジュールは、ピアツーピア・アプリケーション内に格納された別のエンティティの要求メッセージを読み取ることができ、かかる要求メッセージに対する受諾メッセージを、上記のパラメータおよびピアツーピア・ネットワークへの読み取り要求メッセージのパラメータに基づいて生成して送信することができる。
【０１２６】
ステップ９０４では、エンティティのピアツーピア・モジュールは、特に別のエンティティとの契約の後に、ピアツーピア・アプリケーションによる別のエンティティとの供給媒体取引契約を生成させることができる。好ましくは、エンティティのうちの少なくとも１つからの対応するメッセージをピアツーピア・ネットワークに移動させることができる。
【０１２７】
メッセージの検証のために、パブリックキーおよび／またはプライベートキーをエンティティに従って使用することができる。
【０１２８】
図９に説明される方法は、具体的には、図７に説明されるように計量データを送信する前に遂行することができる。
【０１２９】
図１０は、本発明による別の方法の別の図を示す。以下の手順を、図５による供給システム５００によって例示的に説明する。
【０１３０】
ステップ１００１では、好ましくは、各エンティティ５０６、５０８、５６４〜５７０は、供給媒体計画および関連付けられた取引基準を生成することができる。これは、上記で提示されるように行うことができる。
【０１３１】
次のステップ１００２では、少なくとも１つのエンティティ５０６、５０８、５６４〜５７０は、供給媒体取引契約の生成をもたらすことができる。このステップの前に、要求メッセージおよび受諾メッセージを関係するエンティティによって交換することができる。具体的には、複数の個々の供給媒体取引契約が、ピアツーピア・アプリケーションおよびピアツーピア・アプリケーションとのメッセージの交換によって、エンティティ５０６、５０８、５６４〜５７０の間で生成される。ステップ１００２の後で、エンティティ５０６、５０８、５６４〜５７０の一部の要求が満たされないことが起こり得る。例えば、少なくとも１つのエンティティ５０６、５０８、５６４〜５７０は、１つ以上の時間細分領域内で供給媒体についての必要性を依然有する場合がある。代替的にまたは付加的に、少なくとも１つのエンティティ５０６、５０８、５６４〜５７０は、未来の１つ以上の（異なる）細分領域内に生成される供給媒体の超過分を含むことができる。これは、例えば、風力タービンまたは光起電デバイスなどの不安定な発電機のために起こり得る。
【０１３２】
次いで、ステップ１００３では、したがって、少なくとも１つの少なくとも完全に満たされていないオープンな要求メッセージを有する少なくとも１つのエンティティ５０６、５０８、５６４〜５７０が、ピアツーピア・アプリケーションによって、バランシングエンティティ５７２との供給媒体取引契約を生成することができることを条件とすることができる。バランシングエンティティ５７２は、具体的には、供給媒体量の不足分および／または供給媒体量の超過分をいつでも補償するように適応させることができる。例えば、バランシングエンティティ５７２は、電力会社などの公益事業会社であってもよい。代替的におよび好ましくは、バランシングエンティティ５７２は、分散型自律組織（ＤＡＯ）であってもよい。本実施形態では、複数の、例えば、従来の発電所を備え、ピアツーピア・ネットワーク５２２の一部ではないエンティティに電力を転送する可能性を有する電力会社を、バランシングエンティティ５７２として設けることができる。したがって、バランシングエンティティ５７２は、電力グリッドの特に安全で安定した動作を保証する。危険な電力の状態を防ぐことができる。電力システムの容量を最適に利用することができる。柔軟性をより良好に利用することができる。
【０１３３】
既に説明されたように、好ましくは、供給媒体取引契約は、翌日の前日に締結／生成される。好ましくは、各エンティティ５０６、５０８、５６４〜５７０は、それら自体が作成した予測／供給媒体計画の再検討、具体的には、ステップ１００４における個々の細分領域の再検討を後の時点で遂行することができる。例えば、少なくとも細分領域の前の１つの個々に定義可能な時点で、好ましくは、各エンティティ５０４、５０６、５６４〜５７０が、この細分領域に対する計画された需要／提供が実際に達成されるか否かを検証することを条件とすることができる。供給媒体取引契約の生成後、合意開始時間まで（ほぼ）連続的な監視を実行することができることを理解されたい。
【０１３４】
例えば、気象変化および／またはユーザ挙動による、特定の細分領域に関する計画された供給媒体量と現在予測される供給媒体量との間の偏差が決定された場合、エンティティ５０６、５０８、５６４〜５７０は、ステップ９０５において、ピアツーピア・アプリケーションによって、別のエンティティ５０６、５０８、５６４〜５７０とのさらなる供給媒体取引契約の生成をもたらすことができる。これは、具体的には、検出された偏差のために遂行される。例えば、生成体および消費体が対応する偏差を検出した場合、これらのエンティティは、対応する供給媒体取引契約の生成をもたらすことができる。これにより、分散型様式での供給および／またはグリッドの安定性の保証、および、具体的には、分散型プラントおよびネットワークの使用を分散的に最適化することを可能にすることができる。
【０１３５】
ここでは、ブロックチェーンまたは分散型公共台帳などのピアツーピア・アプリケーションの本発明の構造により、供給媒体取引契約の後続の変更は可能ではない場合があるが、前の供給媒体取引契約を少なくとも完全には満たすことができないと検出された場合、別の供給媒体取引契約を生成することができることを留意されたい。
【０１３６】
ステップ１００５において、エンティティ５０６、５０８、５６４〜５７０の要求を満たすことができなかった場合、ステップ１００６では、ステップ１００３に対応して、供給媒体取引契約を生成することができる。
【０１３７】
次のステップ１００７では、供給媒体取引契約に設定されたそれぞれの細分領域の間、好ましくは、各エンティティ５０６、５０８、５６４〜５７０のそれぞれのメータは、供給媒体の（現在計測される）実際の数量パラメータ値が供給媒体取引契約に確立された数量パラメータを満たすか否かを（連続的に）検討する。例えば、気象および／もしくは市場の変化ならびに／またはユーザ挙動による偏差が検出された場合、ステップ１００８において、この偏差を、現在の偏差も検出した他のエンティティとの供給媒体取引契約の（直接的な）生成によって補償することができるか、および／または本偏差を、バランシングエンティティ５７２との供給媒体取引契約の（直接的な）生成によって直接補償することができる。供給ネットワークの安全で安定した動作を分散的に取得することができる。
【０１３８】
図１１は、本発明による方法の別の実施形態を示す。具体的には、本方法は、供給媒体の交換が供給媒体取引契約に従って既に行われているときに遂行することができる。
【０１３９】
好ましくは、第１のエンティティに関連付けられたメータ、具体的には、メータの計測モジュールは、期間Ｔｘ中の電力の数量／量を計測することができる。例えば、計測モジュールは、少なくとも期間Ｔｘ中に電力グリッドから受信した電力（ＸｋＷ／Ｔｘｈ）を計測することができる。好ましくは、これに平行して、別のエンティティのメータ、具体的には、他のエンティティのメータの計測モジュールが、ステップ１１０２において、期間Ｔｘ中に供給された電力を計測する。それぞれのステップ１１０１および１１０２において、計測された各電力パラメータ（ＸｋＷ／Ｔｘｈ）は、それぞれのピアツーピア・モジュールによって、メッセージの形態でピアツーピア・アプリケーションに伝達される。
【０１４０】
次のステップ１１０３および１１０４では、供給媒体量が第１のエンティティと他のエンティティとの間の供給媒体取引契約に従って交換されたか否かを、各事例において、ピアツーピア・アプリケーションによってチェックすることができる。例えば、エンティティのそれぞれのメータによって計測された電力の量は、ピアツーピア・ネットワークのピアの少なくとも一部によって再調査および／または検証することができる。例えば、供給および受信された電力が供給媒体取引契約における合意された電力の量に対応するか否かをチェックすることができる。
【０１４１】
チェック結果に応じて、第１のエンティティは、ステップ１１０５において、合意価格の全体（または一部のみ）を暗号貨幣の形態で移動させることができる。ステップ１１０６では、他のエンティティが移動された暗号貨幣を受容する。ステップ１１０５および１１０６は、ピアツーピア・アプリケーションによって、具体的には、改ざん防止の様式で、前のステートメントに従って実行されるものとする。特に、上記で説明される妥当性テストをピアの少なくとも一部によって実行することができる。
【０１４２】
好ましくは、ピアツーピア・ネットワーク全体は、計測された電力量が正しいか否か、および／または移動が正しく実行されたか否か、例えば、第１のエンティティが実際に暗号貨幣などの所有者であったか否かを累積処理能力によってチェックすることができる。
【０１４３】
また、ネットワークオペレータが、例えば、月一回、週一回など、実際に検出されたカウントに関する計量データに基づいて、ピアツーピア・ネットワークに遡及的に通知し、ピアツーピア・アプリケーションに報告された量と比較して効果的に交換された供給媒体量の訂正を遂行することを条件とすることができる。また、この訂正は、ピアツーピア・アプリケーションによって実行することができ、例えば、関係するエンティティ間で決済することができる。
【０１４４】
概ね、本システムは、「信頼できない」モデルについての基礎であるピアツーピア・ネットワーク内のノードによって個々の計量データを検証する能力を有する。中央権限への信頼は必要ない。本明細書において前述されるように、妥当性確認および、例えば、ピアツーピア・アプリケーションまたはピアツーピア・マッチングの最適化をオンチェーンまたはオフチェーンで行うことができる。オフチェーンとは、処理がブロックチェーンによって制御されることを意味する。処理自体は、サーバ／クラウドなどの他のデバイスによって遂行することができる。ブロックチェーンは、例えば、妥当性確認処理の場合、複数のサーバが肯定的な結果または否定的な結果を提供するか否かをチェックすることができる。
【図１】
2019501612.tif 000003
【図２】
2019501612.tif 000004
【図３】
2019501612.tif 000005
【図４】
2019501612.tif 000006
【図５】
2019501612.tif 000007
【図６】
2019501612.tif 000008
【図７】
2019501612.tif 000009
【図８】
2019501612.tif 000010
【図９】
2019501612.tif 000011
【図１０】
2019501612.tif 000012
【図１１】
2019501612.tif 000013
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
供給システム（２００、５００、６００）のメータ（２０４、３０４）であって、
供給チャネル（２１０、３１０）を通って流れる供給媒体の少なくとも１つの数量パラメータを計測するように構成された少なくとも１つの計測モジュール（２０９、３０９．１、３０９．２）を備え、
前記メータ（２０４、３０４）は、ピアツーピア・ネットワーク（２２２、５２２、６２２）のピアツーピア・アプリケーション（２２４、４２４）と通信するように構成された少なくとも１つのピアツーピア・モジュール（２２０、３２０）を備え、
前記計測モジュール（２０９、３０９．１、３０９．２）は、前記計測モジュール（２０９、３０９．１、３０９．２）と前記ピアツーピア・モジュール（２２０、３２０）との間に配置された通信接続（２０７、３０７）を介して、前記供給媒体の計測された数量パラメータを前記ピアツーピア・モジュール（２２０、３２０）に提供するように構成され、
前記ピアツーピア・モジュール（２２０、３２０）は、少なくとも前記計測された数量パラメータを前記ピアツーピア・アプリケーション（２２４、４２４）に提供するように構成され、
前記メータ（２０４、３０４）が、エンティティ（３０６、５０６、５０８、５６４、５６６、５６８、５７０、５７２、６０６．１、６０８．２、６６４．１、６６６．１、６６８．２、６７０．２、６７２．２）に関連付けられ、
前記ピアツーピア・モジュール（２２０、３２０）が、前記ピアツーピア・モジュール（２２０、３２０）に関連付けられた前記エンティティ（３０６、５０６、５０８、５６４、５６６、５６８、５７０、５７２、６０６．１、６０８．２、６６４．１、６６６．１、６６８．２、６７０．２、６７２．２）のために作成された供給媒体計画に基づいて、少なくとも１つの要求メッセージおよび／または少なくとも１つの受諾メッセージを生成して、供給媒体取引契約の生成をもたらすように構成されている、
ことを特徴とする、メータ（２０４、３０４）。
【請求項２】
前記メータ（２０４、３０４）が、筐体（２０５）を備え、
前記計測モジュール（２０９、３０９．１、３０９．２）および前記ピアツーピア・モジュール（２２０、３２０）が、前記筐体（２０５）に一体化されている、
ことを特徴とする、請求項１に記載のメータ（２０４、３０４）。
【請求項３】
前記少なくとも１つの計測モジュール（２０９、３０９．１、３０９．２）が、電気計測モジュール、流体計測モジュール、または熱計測モジュールの群から選択されることを特徴とする、請求項１または２に記載のメータ（２０４、３０４）。
【請求項４】
前記計測モジュール（２０９、３０９．１、３０９．２）と前記ピアツーピア・モジュール（２２０、３２０）との間の前記通信接続（２０７、３０７）が、有線通信接続（２０７、３０７）であるか、および／または
前記計測モジュール（２０９、３０９．１、３０９．２）と前記ピアツーピア・モジュール（２２０、３２０）との間の前記通信接続（２０７、３０７）が、前記計測モジュール（２０９、３０９．１、３０９．２）から前記ピアツーピア・モジュール（２２０、３２０）への一方向通信接続（２０７、３０７）である、
ことを特徴とする、請求項１〜３の何れか一項に記載のメータ（２０４、３０４）。
【請求項５】
前記メータ（２０４、３０４）が、第１のエンティティ（３０６、５０６、６０６．１）と関連付けられ、
前記ピアツーピア・モジュール（２２０、３２０）が、前記ピアツーピア・アプリケーション（２２４、４２４）による、前記第１のエンティティ（３０６、５０６、６０６．１）と別のエンティティ（５０８、５６４、５６６、５６８、５７０、５７２、６０８．２、６６４．１、６６６．１、６６８．２、６７０．２、６７２．２）との間の供給媒体の交換に関する供給媒体取引契約の生成をもたらすように構成されている、
ことを特徴とする、請求項１〜４の何れか一項に記載のメータ（２０４、３０４）。
【請求項６】
前記ピアツーピア・ネットワーク（２２２、５２２、６２２）が、複数のコンピュータノード（２２６．１、２２６．２、２２６．３）によって形成され、
前記ピアツーピア・モジュール（２２０、３２０）が、前記複数のコンピュータノード（２２６．１、２２６．２、２２６．３）と通信するようにのみ構成されている、
ことを特徴とする、請求項１〜５の何れか一項に記載のメータ（２０４、３０４）。
【請求項７】
前記ピアツーピア・ネットワーク（２２２、５２２、６２２）が、複数のコンピュータノード（２２６．１、２２６．２、２２６．３）によって形成され、
前記ピアツーピア・モジュール（２２０、３２０）が、前記複数のコンピュータノードのうちの１つである、
ことを特徴とする、請求項１〜５の何れか一項に記載のメータ（２０４、３０４）。
【請求項８】
要求メッセージが、供給媒体の数量パラメータ、時間、および／もしくは少なくとも１つの取引基準を含むか、ならびに／または
受諾メッセージが、供給媒体の数量パラメータ、時間、および／もしくは少なくとも１つの取引基準を含む、
ことを特徴とする、請求項１〜７の何れか一項に記載のメータ（２０４、３０４）。
【請求項９】
前記ピアツーピア・モジュール（２２０、３２０）が、前記供給媒体取引契約で指定された取引基準と前記計測された数量パラメータとに基づいて、取引基準の取引の生成をもたらすように構成されていることを特徴とする、請求項５〜７の何れか一項に記載のメータ（２０４、３０４）。
【請求項１０】
前記ピアツーピア・モジュール（２２０、３２０）が、有線接続（３１５）または無線接続を介して、少なくとも１つの別のメータ（３０５．１、３０５．２）と通信するようにさらに構成されていることを特徴とする、請求項１〜１０の何れか一項に記載のメータ（２０４、３０４）。
【請求項１１】
供給システム（２００、５００、６００）であって、
請求項１〜１０の何れか一項に記載の少なくとも１つのメータ（２０４、３０４）と、
少なくとも１つの供給媒体を移動させるように構成された少なくとも１つの供給チャネル（２１０、３１０）と、
ピアツーピア・アプリケーション（２２４、４２４）を提供するように構成された少なくとも１つのピアツーピア・ネットワーク（２２２、５２２、６２２）と、
を備え、
前記ピアツーピア・ネットワーク（２２２、５２２、６２２）の複数のコンピュータノード（２２６．１、２２６．２、２２６．３）の少なくとも１つのサブセットが、提供された数量パラメータの正確性を監視するよう構成されている、
供給システム（２００、５００、６００）。
【請求項１２】
前記ピアツーピア・アプリケーション（２２４、４２４）が、分散型レジスタ（２２４、４２４）であり、
前記分散型レジスタ（２２４、４２４）が、少なくとも前記ピアツーピア・ネットワーク（２２２、５２２、６２２）の参加者の一部によって読み取り可能であることを特徴とする、請求項１１に記載の供給システム（２００、５００、６００）。
【請求項１３】
前記ピアツーピア・アプリケーション（２２４、４２４）が、暗号化手段ならびに／または署名手段および／もしくは検証手段を含み、前記暗号化手段ならびに／または前記署名手段および／もしくは前記検証手段のうちの少なくとも１つが、少なくとも提供された数量パラメータを格納するように構成されていることを特徴とする、請求項１１または１２に記載の供給システム（２００、５００、６００）。
【請求項１４】
前記ピアツーピア・アプリケーション（２２４、４２４）が、互いに連結された少なくとも２つのブロック（４４６、４４８、４５０）を含むブロックチェーン（２２４、４２４）または分散型台帳（２２４、４２４）であることを特徴とする、請求項１１〜１３の何れか一項に記載の供給システム（２００、５００、６００）。
【請求項１５】
前記供給システム（２００、５００、６００）が、有線接続（３１５）または無線接続を介して、前記ピアツーピア・モジュール（２２０、３２０）と通信するように構成された少なくとも１つの通信モジュール（３１３．１、３１３．２）を有する別のメータ（３０５．１、３０５．２）を備えることを特徴とする、請求項１１〜１４の何れか一項に記載の供給システム（２００、５００、６００）。
【請求項１６】
供給システム（２００、５００、６００）のメータ（２０４、３０４）、具体的には、請求項１〜１０の何れか一項に記載のメータ（２０４、３０４）を動作させるための方法であって、前記メータ（２０４、３０４）が、少なくとも１つの計測モジュール（２０９、３０９．１、３０９．２）および少なくとも１つのピアツーピア・モジュール（２２０、３２０）を備え、前記方法が、
前記計測モジュール（２０９、３０９．１、３０９．２）によって供給媒体の少なくとも１つの数量パラメータを計測するステップと、
前記計測モジュール（２０９、３０９．１、３０９．２）と前記ピアツーピア・モジュール（２２０、３２０）との間に配置された通信接続（２０７、３０７）を介して、前記計測モジュール（２０９、３０９．１、３０９．２）から前記ピアツーピア・モジュール（２２０、３２０）へ前記少なくとも１つの数量パラメータを伝達するステップと、
前記ピアツーピア・モジュール（２２０、３２０）によって、少なくとも前記計測された数量パラメータをピアツーピア・ネットワーク（２２２、５２２、６２２）のピアツーピア・アプリケーション（２２４、４２４）に提供するステップと、
前記メータ（２０４、３０４）が、エンティティ（３０６、５０６、５０８、５６４、５６６、５６８、５７０、５７２、６０６．１、６０８．２、６６４．１、６６６．１、６６８．２、６７０．２、６７２．２）に関連付けられ、
前記ピアツーピア・モジュール（２２０、３２０）に関連付けられた前記エンティティ（３０６、５０６、５０８、５６４、５６６、５６８、５７０、５７２、６０６．１、６０８．２、６６４．１、６６６．１、６６８．２、６７０．２、６７２．２）のために作成された供給媒体計画に基づいて、前記ピアツーピア・モジュール（２２０、３２０）によって、少なくとも１つの要求メッセージおよび／または少なくとも１つの受諾メッセージを生成して、供給媒体取引契約の生成をもたらすステップと、
を含む、方法。
【国際調査報告】
2019501612.tif 000014
2019501612.tif 000015
2019501612.tif 000016